(57)【要約】【課題】所要の電気的接続を確保しつつ変成器や避雷器などの接続機器をスイッチギヤ本体の前面から切り離せるように操作できるスイッチギヤを得る。【解決手段】スイッチギヤ本体１に収納された主回路機器と母線１０とを電気的に接続する接続導体３、接続導体３よりもスイッチギヤ本体１の後面１ａ側に配置されスイッチギヤ本体１の前面１ｂ側に向けて配設された接続機器４、スイッチギヤ本体１の前面１ｂ側から接続導体３と接続機器４とを電気的に接離する接離機構９を備え、接離機構９には、スイッチギヤ本体１の前面側から後面側へ延在する操作ロッド８と、接続機器４の接続端子と接続導体３との間を接離する接続部材６と、接続部材６と接続導体３との間を電気的に接続する摺動接触子３ａなどからなる電気的接続部片と、接続部材６と操作ロッド８の間を機械的に接続する絶縁ロッド７と、操作ロッド８を前後に駆動する操作装置９ａが設けられている。【選択図】図１
2011205897.tif 000002
【特許請求の範囲】
【請求項１】
スイッチギヤ本体に収納された主回路機器と母線とをスイッチギヤ本体の内部において電気的に接続する接続導体、スイッチギヤ本体の内部において前記接続導体よりもスイッチギヤ本体の後面側に配置されスイッチギヤ本体の前面側に接続部を向けて配設された接続機器、前記スイッチギヤ本体の前面側から前記接続導体と前記接続機器とを電気的に接離する接離機構を備え、前記接離機構には、前記スイッチギヤ本体の前面側から後面側へ延在する操作ロッドと、前記接続機器の接続端子と前記接続導体との間を接離する接続部材と、前記接続部材と前記接続導体との間を電気的に接続する電気的接続部片と、前記接続部材と前記操作ロッドの間を機械的に接続する絶縁ロッドと、前記操作ロッドを前後に駆動する操作装置が設けられていることを特徴とするスイッチギヤ。
【請求項２】
前記電気的接続部片は、摺動接触子により構成されることを特徴とする請求項１に記載のスイッチギヤ。
【請求項３】
前記電気的接続部片は、可撓導体により構成されることを特徴とする請求項１に記載のスイッチギヤ。
【発明の詳細な説明】
【技術分野】
【０００１】
この発明は、スイッチギヤ、特に、電力の送配電および受電設備に用いられるスイッチギヤに関するものである。
【背景技術】
【０００２】
従来技術におけるイッチギヤでは、容器の底板の後方に底板に対して垂直に避雷器（ＬＡ）を配置した構成を具備している（例えば、特許文献１参照）。
【先行技術文献】
【特許文献】
【０００３】
【特許文献１】特開２００４−２１５３９２号公報（５頁、図６）
【発明の概要】
【発明が解決しようとする課題】
【０００４】
特許文献１の図６に示されているスイッチギヤにおいては、容器の底板の後方に底板に対して垂直に避雷器（ＬＡ）を配置した構成が示されているが、避雷器（ＬＡ）の一次側と主回路との間を切り離す接離機構がないために、主回路の耐電圧試験を行う際には容器を開放して主回路導体と避雷器の間の接続導体を取り外す等の処置が必要であり試験に多大な時間が必要である。
【０００５】
この発明は、避雷器や変成器などの接続機器をスイッチギヤ本体の前面から切り離せるように操作できるスイッチギヤを得ようとするものである。
【課題を解決するための手段】
【０００６】
この発明に係るスイッチギヤでは、スイッチギヤ本体に収納された主回路機器と母線とをスイッチギヤ本体の内部において電気的に接続する接続導体、スイッチギヤ本体の内部において前記接続導体よりもスイッチギヤ本体の後面側に配置されスイッチギヤ本体の前面側に接続部を向けて配設された接続機器、前記スイッチギヤ本体の前面側から前記接続導体と前記接続機器とを電気的に接離する接離機構を備え、前記接離機構には、前記スイッチギヤ本体の前面側から後面側へ延在する操作ロッドと、前記接続機器の接続端子と前記接続導体との間を接離する接続部材と、前記接続部材と前記接続導体との間を電気的に接続する電気的接続部片と、前記接続部材と前記操作ロッドの間を機械的に接続する絶縁ロッドと、前記操作ロッドを前後に駆動する操作装置が設けられているものである。
【発明の効果】
【０００７】
この発明によれば、所要の電気的接続を確保しつつ接続機器をスイッチギヤ本体の前面から切り離せるように操作できるスイッチギヤを得ることができる。
【図面の簡単な説明】
【０００８】
【図１】この発明による実施の形態１におけるスイッチギヤの構成を示す側断面図である。
【図２】この発明による実施の形態１における接続導体と接続部材との接続構成を示す側面図である。
【図３】この発明による実施の形態１における接続部材の構成を示す側面図である。
【図４】この発明による実施の形態２におけるスイッチギヤの構成を示す側断面図である。
【図５】この発明による実施の形態３におけるスイッチギヤの構成を示す側断面図である。
【図６】この発明による実施の形態４におけるスイッチギヤの構成を示す側断面図である。
【図７】この発明による実施の形態５におけるスイッチギヤの構成を示す側断面図である。
【発明を実施するための形態】
【０００９】
実施の形態１．
この発明による実施の形態１を図１から図３までについて説明する。図１は実施の形態１における主回路ケーブルを床面から引込む場合のスイッチギヤの構成を示す側断面図である。図２は実施の形態１における接続機器の接続導体に対する接続を行う接続部材の接続構成を示す側面図である。図３は実施の形態１における接続機器の接続導体に対する接続を行う接続部材の構成を示す側面図である。
【００１０】
図１において、スイッチギヤ本体１の容器２は、断路器（ＤＳ）および接地開閉器（ＥＳ）ならびに真空遮断器（ＶＣＢ）からなる主回路機器を収納する機器室を形成するケーブル接続容器２Ａと、断路器（ＤＳ）および接地開閉器（ＥＳ）ならびに母線接続用端子を収納する母線室を形成する母線接続容器２Ｂと、真空遮断器（ＶＣＢ）を収納する機器室を形成するケーブル接続容器２Ｃとによって構成されている。容器２Ａ，２Ｂ，２Ｃは互いに区画され、各容器２Ａ，２Ｂ，２ＣにはＳＦ６，乾燥空気，窒素，二酸化炭素などの絶縁性ガスがそれぞれ封入されている。
機器室を形成し容器２の一部を構成するケーブル接続容器２Ａにおける後面２ａの上部には後方へ突出する突出部２ｐが設けられている。
母線（ＢＵＳ）１０は母線室を形成し容器２の一部を構成する母線接続容器２Ｂの後面２ａの外側に取り付けられ、その少なくとも一部がケーブル接続容器２Ａの突出部２ｐと上下方向において対向するようにその少なくとも一部をケーブル接続容器２Ａの突出部２ｐと上下に位置して配置されている。母線接続容器２Ｂの後面２ａは母線（ＢＵＳ）１０の取付面として構成されている。
このように、母線（ＢＵＳ）１０の上方には、機器室を形成し容器２の一部を構成するケーブル接続容器２Ａに収納された断路器（ＤＳ）および接地開閉器（ＥＳ）ならびに真空遮断器（ＶＣＢ）からなる主回路機器が配置され、母線（ＢＵＳ）１０の下方には、機器室を形成し容器２の一部を構成するケーブル接続容器２Ｃに収納された真空遮断器（ＶＣＢ）からなる主回路機器が配置されている。
すなわち、母線（ＢＵＳ）１０の上下両側には、機器室を形成し容器２の一部を構成するケーブル接続容器２Ａに収納された断路器（ＤＳ）および接地開閉器（ＥＳ）ならびに真空遮断器（ＶＣＢ）からなる主回路機器と、機器室を形成し容器２の一部を構成するケーブル接続容器２Ｃに収納された真空遮断器（ＶＣＢ）からなる主回路機器とが配置されている。
容器２の一部を構成するケーブル接続容器２Ａにおける突出部２ｐの内側には、ケーブル接続容器２Ａ，２Ｂ，２Ｃで構成される容器２に収納された断路器（ＤＳ）および接地開閉器（ＥＳ）ならびに真空遮断器（ＶＣＢ）からなる主回路機器の相互間を接続する接続導体３の後方に一次側端子４ａがスイッチギヤ本体１の前面１ｂ側になるように計器用変成器（ＶＴ）などの変成器４で構成される接続機器が配設される。すなわち、計器用変成器（ＶＴ）などの変成器４で構成される接続機器が接続導体３よりもスイッチギヤ本体１の後面１ａ側になるように配置される。
【００１１】
床面ＦＬから引込まれた主回路ケーブル１１はケーブルヘッド（ＣＨＤ）１２からケーブル接続容器２Ａにおける突出部２ｐの後面２ｐａに設けられた主回路ケーブル接続用ブッシング１３を介して機器室を形成し容器２の一部を構成するケーブル接続容器２Ａに収納された断路器（ＤＳ）および接地開閉器（ＥＳ）に接続される。断路器（ＤＳ）の可動側固定接触部から接続導体３を介してケーブル接続容器２Ａに収納された真空遮断器（ＶＣＢ）に接続され、さらに、ケーブル接続容器２Ａと母線接続容器２Ｂとの接合部の隔壁に設けられた区分ブッシング１６を介して母線室を形成し容器２の一部を構成する母線接続容器２Ｂに収納された断路器（ＤＳ）および接地開閉器（ＥＳ）に接続される。母線接続容器２Ｂに収納された断路器（ＤＳ）の可動側固定接触部から接続導体３により母線接続容器２Ｂに収納された母線接続端子１０ａを介して母線（ＢＵＳ）１０に接続される。
主回路ケーブル接続用ブッシング１３は、母線（ＢＵＳ）１０の少なくとも一部と上下方向において対向するように母線（ＢＵＳ）１０の少なくとも一部と上下に位置するケーブル接続容器２Ａの突出部２ｐにおける後面２ｐａの側壁に設けられており、主回路ケーブル接続用ブッシング１３を接続するためのケーブル接続容器２Ａの内部における接続用空間を容易に確保することができるため、ケーブル接続容器２Ａの後面２ａに設けられた場合に比べて、スイッチギヤ本体１の奥行寸法を増大することなく設置することができる。
【００１２】
床面ＦＬから引込まれた主回路ケーブル１４はケーブルヘッド（ＣＨＤ）１５を介して機器室を形成し容器２の一部を構成するケーブル接続容器２Ｃに収納された真空遮断器（ＶＣＢ）に接続され、さらに、母線接続容器２Ｂとケーブル接続容器２Ｃとの隔壁に設けられた区分ブッシング１６を介して母線室を形成し容器２の一部を構成する母線接続容器２Ｂに収納された断路器（ＤＳ）および接地開閉器（ＥＳ）に接続される。母線接続容器２Ｂに収納された断路器（ＤＳ）の可動側固定接触部から接続導体３により母線接続容器２Ｂに収納された母線接続端子１０ａを介して母線（ＢＵＳ）１０に接続される。
【００１３】
容器２Ａ，２Ｂ，２Ｃで構成される容器２に収納された断路器（ＤＳ）および接地開閉器（ＥＳ）ならびに真空遮断器（ＶＣＢ）からなる主回路機器の相互間を接続する接続導体３の後方に一次側端子４ａがスイッチギヤ本体１の前面１ｂ側になるようにケーブル接続容器２Ａにおける突出部２ｐの内側に設けられた計器用変成器（ＶＴ）などの変成器４で構成される接続機器は、その一次側端子４ａが固着された接続端子５と接続導体３との接続をケーブル接続容器２Ａの前面外側に設けられたＶＴ接離機構からなる接離機構９により切り離し可能とされている。
【００１４】
その接離機構の詳細を図２および図３について説明する。
スイッチギヤ本体１の前面１ｂ側から後面１ａ側に延在する操作ロッド８は、容器２の一部を構成するケーブル接続容器２Ａの前面２ｂを気密に貫通して摺動し、ケーブル接続容器２Ａの前面２ｂにスイッチギヤ本体１の前面１ｂに突出して配設されたＶＴ接離機構９からなる接離機構の操作装置９ａに接続される。操作ロッド８を介して操作装置９ａにより駆動操作される絶縁ロッド７は、図２（ａ）に示すように、ロッド接続部７ａを介して棒状の導電体からなる接続部材６の一端６ａと連結されている。
接続導体３は接触部３ｂに設けられた摺動接触子３ａによって接続部材６の一端６ａに電気的に接続されている。
【００１５】
図３（ａ）（ｂ）に示すように、接続部材６の他端６ｂには、円筒状の接触子６ｃがばね６ｄを介して取り付けられ、ストッパ６ｅによって係止されている。
接触子６ｃは計器用変成器（ＶＴ）からなる変成器４の一次側端子４ａに固着された接続端子５の接触部５ａと接離可能に対向して設けられ、接続端子５と接続部材６とは、操作装置９ａによる操作ロッド８および絶縁ロッド７を介する接続部材６の駆動操作によって、電気的に接続され、あるいは、電気的に切り離されるように、選択的な接離動作が可能なように構成されている。ここで、変成器４としては、電流を測定する変流器と、電圧を測定する計器用変成器（ＶＴ）があるが、この発明では計器用変成器（ＶＴ）を対象機器と考えている。
図３（ａ）の切り離し状態では、接続端子５と接続部材６とは離間されて電気的に絶縁され、図３（ｂ）の接合状態では接続端子５と接続部材６とは接続部材６の接触部６ｃが接続端子５の接触部５ａに圧接されて電気的に接続される。
【００１６】
ここでは、図２（ａ）に示すように、接続導体３を接触部３ｂに設けた摺動接触子３ａにより接続部材６と電気的に接続される構成について説明したが、図２（ｂ）に示すように、接続部材６に摺動接触子３ａを設け、接続導体３がこの接触子ａを介して接続部材６と電気的に接続されるようにしてもよい。また、接続導体３と接続部材６とが可撓導体で接続されるようにしてもよい。
【００１７】
（１Ａ）この発明による実施の形態１によれば、スイッチギヤ本体１に収納された断路器（ＤＳ）および接地開閉器（ＥＳ）ならびに真空遮断器（ＶＣＢ）からなる主回路機器と母線１０とをスイッチギヤ本体１の内部において電気的に接続する接続導体３、スイッチギヤ本体の内部において前記接続導体３よりもスイッチギヤ本体１の後面１ａ側に配置されスイッチギヤ本体１の前面１ｂ側に一次側端子４ａが固着された接続端子５からなる接続部を向けて配設された接続機器、前記スイッチギヤ本体１の前面１ｂ側から前記接続導体３と前記接続機器とを電気的に接続するＶＴ接離機構９からなる接離機構を備え、前記接続機器として計器用変成器（ＶＴ）からなる変成器４を配置するようにしたので、計器用変成器（ＶＴ）からなる変成器４で構成される接続機器をスイッチギヤ本体の前面から切り離せるように操作できるスイッチギヤを得ることができる。
【００１８】
（１Ｂ）この発明による実施の形態１によれば、前記（１Ａ）項における構成において、前記ＶＴ接離機構９からなる接離機構は、前記スイッチギヤ本体１の前面１ｂ側から後面１ａ側に延在する操作ロッド８と、前記計器用変成器（ＶＴ）からなる変成器４で構成される接続機器の接続端子５と前記接続導体３との間を接離する接続部材と、前記接続部材と前記接続導体との間を電気的に接続する摺動接触子と、前記接続部材と前記操作ロッドの間を機械的に接続する絶縁ロッドと、前記操作ロッドを前後に駆動する操作装置を備えたので、接離機構によって接続機器に対し摺動接触子により構成される電気的接続を接離し接続機器をスイッチギヤ本体の前面から切り離せるように操作できるスイッチギヤを得ることができる。
【００１９】
（１Ｃ）この発明による実施の形態１によれば、前記（１Ａ）項または（１Ｂ）項における構成において、前記ＶＴ接離機構９からなる接離機構は、前記スイッチギヤ本体１の前面１ｂ側から後面１ａ側に延在する操作ロッド８と、前記計器用変成器（ＶＴ）からなる変成器４で構成される接続機器の接続端子５と前記接続導体３との間を接離する接続部材６と、前記接続部材６と前記接続導体３との間を電気的に接続する可撓導体と、前記接続部材と前記操作ロッドの間を機械的に接続する絶縁ロッド７と、前記操作ロッド８を前後に駆動する操作装置９ａを備えたので、接離機構によって接続機器に対し可撓導体により構成される電気的接続を接離し接続機器をスイッチギヤ本体の前面から切り離せるように操作できるスイッチギヤを得ることができる。
【００２０】
（１Ｄ）この発明による実施の形態１によれば、前記スイッチギヤ本体１を構成する母線接続容器２Ｂ、前記スイッチギヤ本体１を構成し前記母線接続容器２Ｂの少なくとも上下の一方に配置されるケーブル接続容器２Ａ，２Ｃ、前記母線接続容器２Ｂの後部に配置される母線１０を備え、前記ケーブル接続容器２Ｂに断路器（ＤＳ）および接地開閉器（ＥＳ）からなる主回路機器を収納するとともに、前記ケーブル接続容器２に突出部２ｐを設け前記ケーブル接続容器２Ａの後面２ｐａを前記母線接続容器２Ｂの後面に設けた母線取付面２ａよりも後方へ突出させるようにしたので、スイッチギヤの奥行寸法を大きくすることなく接続機器をスイッチギヤ本体の前面から切り離せるように操作できるスイッチギヤを得ることができる。
【００２１】
（１Ｅ）この発明による実施の形態１によれば、断路器（ＤＳ）および接地開閉器（ＥＳ）ならびに真空遮断器（ＶＣＢ）からなる主回路機器を収納しＳＦ６，乾燥空気，窒素，二酸化炭素などの絶縁性ガスを封入するとともに後面２ａにおける上部を後方へ突出し突出部２ｐを設けた容器２の一部を構成するケーブル接続容器２Ａ、少なくとも一部が前記ケーブル接続容器２Ａの突出部２ｐと上下方向において対向するように少なくとも一部を前記ケーブル接続容器２Ａの突出部２ｐと上下に位置し容器２の一部を構成する母線接続容器２Ｂの後面２ａの外側に設けられて機器室を形成し前記容器２の一部を構成する前記ケーブル接続容器２Ａに収納された断路器（ＤＳ）および接地開閉器（ＥＳ）ならびに真空遮断器（ＶＣＢ）からなる主回路機器と機器室を形成し前記容器２の一部を構成する前記ケーブル接続容器２Ｃに収納された真空遮断器（ＶＣＢ）からなる主回路機器とを上下両側に配置し前記主回路機器と接続導体３により電気的に接続される母線（ＢＵＳ）１０を備え、前記ケーブル接続容器２Ａの突出部２ｐの内側に前記接続導体３との接続端子５を固着した一次側端子４ａを前記ケーブル接続容器２Ａの前面２ｂ側に向けて計器用変成器（ＶＴ）などの変成器で構成された接続機器４を配置するとともに、前記ケーブル接続容器２Ａの前面に設けたＶＴ接離機構からなる接離機構９により前記変成器４で構成された接続機器の一次側端子４ａが固着された接続端子５を前記母線（ＢＵＳ）１０に接続された前記接続導体３から切り離すようにしたので、スイッチギヤの奥行寸法を大きくすることなく変成器からなる接続機器をスイッチギヤ本体の前面から切り離せるよう操作できるようにして耐電圧試験などの試験を短時間で行えるスイッチギヤを得ることができる。
【００２２】
（１Ｆ）この発明による実施の形態１によれば、前記（１Ｅ）項における構成において、前記接離機構９は、前記容器２の一部を構成するケーブル接続容器２Ａの前面２ｂを気密に摺動する操作ロッド８と、前記計器用変成器（ＶＴ）などの変成器４で構成された接続機器の一次側端子４ａに固着された接続端子５と前記接続導体３との間を接離する接続部材６と、前記接続部材６と接続導体３との間を電気的に接続する摺動接触子３ａと、前記接続部材６と前記操作ロッド８の間を機械的に接続する絶縁ロッド７と、前記操作ロッド７を前後に駆動する操作装置９ａを備えたので、スイッチギヤの奥行寸法を大きくすることなく変成器からなる接続機器をスイッチギヤ本体の前面から切り離せるよう操作できるようにして耐電圧試験などの試験を短時間で行えるとともに、接離機構による切り離し動作を電気的絶縁を保持しつつ確実に行えるスイッチギヤを得ることができる。
【００２３】
（１Ｇ）この発明による実施の形態１によれば、前記（１Ｅ）項または前記（１Ｆ）項の構成において、前記容器２の一部を構成するケーブル接続容器２Ａの突出部２ｐの容器後面側に後面２ｐａの側壁を貫通する主回路ケーブル接続用ブッシング１３を配置したので、スイッチギヤの奥行寸法を大きくすることなく変成器からなる接続機器をスイッチギヤ本体の前面から切り離せるよう操作できるようにして耐電圧試験などの試験を短時間で行えるとともに、スイッチギヤの奥行寸法を増大することなく主回路ケーブル接続用ブッシングを設置できるスイッチギヤを得ることができる。
【００２４】
実施の形態２．
この発明による実施の形態２を図４について説明する。図４は実施の形態２における主回路ケーブルを上面より引込む場合のスイッチギヤの構造を示す側断面図である。
この実施の形態２において、ここで説明する特有の構成以外の構成については、先に説明した実施の形態１における構成と同一の構成内容を具備し同様の作用を奏するものである。図中、同一符号は同一または相当部分を示す。
【００２５】
図４において、スイッチギヤ本体１の容器２は、断路器（ＤＳ）および接地開閉器（ＥＳ）ならびに真空遮断器（ＶＣＢ）からなる主回路機器を収納する機器室を形成し容器２の一部を構成するケーブル接続容器２Ａと、断路器（ＤＳ）および接地開閉器（ＥＳ）ならびに母線接続用端子を収納する母線室を形成し容器２の一部を構成する母線接続容器２Ｂと、断路器（ＤＳ）および接地開閉器（ＥＳ）ならびに真空遮断器（ＶＣＢ）を収納する機器室２Ｃとによって構成されている。容器２Ａ，２Ｂ，２Ｃは互いに区画され、各容器２Ａ，２Ｂ，２ＣにはＳＦ６，乾燥空気，窒素，二酸化炭素などの絶縁性ガスがそれぞれ封入されている。
機器室を形成し容器２の一部を構成するケーブル接続容器２Ａにおける後面２ａの上部には後方へ突出する突出部２ｐが設けられている。
また、機器室を形成し容器２の一部を構成するケーブル接続容器２Ｃにおける後面２ａの下部には後方へ突出する突出部２ｐが設けられている。
母線（ＢＵＳ）１０は母線室を形成し容器２の一部を構成する母線接続容器２Ｂの後面２ａの外側にその少なくとも一部がケーブル接続容器２Ａおよびケーブル接続容器２Ｃの突出部２ｐと上下方向において対向するようにその少なくとも一部がケーブル接続容器２Ａおよびケーブル接続容器２Ｃの突出部２ｐと上下に位置して配置されている。母線接続容器２Ｂの後面２ａは母線（ＢＵＳ）１０の取付面として構成されている。
このように、母線（ＢＵＳ）１０の上方には、機器室を形成し容器２の一部を構成するケーブル接続容器２Ａに収納された断路器（ＤＳ）および接地開閉器（ＥＳ）ならびに真空遮断器（ＶＣＢ）からなる主回路機器が配置され、母線（ＢＵＳ）１０の下方には、機器室を形成し容器２の一部を構成するケーブル接続容器２Ｃに収納された真空遮断器（ＶＣＢ）からなる主回路機器が配置されている。
すなわち、母線（ＢＵＳ）１０の上下両側には、機器室を形成し容器２の一部を構成するケーブル接続容器２Ａに収納された断路器（ＤＳ）および接地開閉器（ＥＳ）ならびに真空遮断器（ＶＣＢ）からなる主回路機器と、機器室を形成し容器２の一部を構成するケーブル接続容器２Ｃに収納された真空遮断器（ＶＣＢ）からなる主回路機器とが配置されている。
容器２の一部を構成するケーブル接続容器２Ａおよびケーブル接続容器２Ｃにおける突出部２ｐの内側には、容器２Ａ，２Ｂ，２Ｃで構成される容器２に収納された断路器（ＤＳ）および接地開閉器（ＥＳ）ならびに真空遮断器（ＶＣＢ）からなる主回路機器の相互間を接続する接続導体３の後方に一次側端子４ａがスイッチギヤ本体１の前面１ｂ側になるように計器用変成器（ＶＴ）などの変成器４で構成される接続機器がそれぞれ配設される。すなわち、計器用変成器（ＶＴ）などの変成器４で構成される接続機器が接続導体３よりもスイッチギヤ本体１の後面１ａ側になるようように配置される。
【００２６】
スイッチギヤ本体１の上面ＣＬから引込まれた主回路ケーブル１４はケーブルヘッド（ＣＨＤ）１５からケーブル接続容器２Ａにおける突出部２ｐの後面２ｐａに設けられた主回路ケーブル接続用ブッシング１３を介して機器室を形成し容器２の一部を構成するケーブル接続容器２Ａに収納された断路器（ＤＳ）および接地開閉器（ＥＳ）に接続される。断路器（ＤＳ）の可動側固定接触部から接続導体３を介してケーブル接続容器２Ａに収納された真空遮断器（ＶＣＢ）に接続され、さらに、ケーブル接続容器２Ａと母線接続容器２Ｂとの接合部の隔壁に設けられた区分ブッシング１６を介して母線室を形成し容器２の一部を構成する母線接続容器２Ｂに収納された断路器（ＤＳ）および接地開閉器（ＥＳ）に接続される。母線接続容器２Ｂに収納された断路器（ＤＳ）の可動側固定接触部から接続導体３により母線接続容器２Ｂに収納され母線接続端子を介して母線（ＢＵＳ）１０に接続される。
主回路ケーブル接続用ブッシング１３は、母線（ＢＵＳ）１０の少なくとも一部と上下方向において対向するように母線（ＢＵＳ）１０の少なくとも一部と上下に位置するケーブル接続容器２Ａの突出部２ｐにおける後面２ｐａの側壁に設けられており、主回路ケーブル接続用ブッシング１３を接続するためのケーブル接続容器２Ａの内部における接続用空間を容易に確保することができるため、ケーブル接続容器２Ａの後面２ａに設けられた場合に比べて、スイッチギヤ本体１の奥行寸法を増大することなく設置することができる。
【００２７】
スイッチギヤ本体１の上面ＣＬから引込まれた主回路ケーブル１１はケーブルヘッド（ＣＨＤ）１２からケーブル接続容器２Ｃにおける突出部２ｐの後面２ｐａに設けられた主回路ケーブル接続用ブッシング１３を介して機器室を形成し容器２の一部を構成するケーブル接続容器２Ｃに収納された断路器（ＤＳ）および接地開閉器（ＥＳ）に接続される。断路器（ＤＳ）の可動側固定接触部から接続導体３を介してケーブル接続容器２Ａに収納された真空遮断器（ＶＣＢ）に接続され、さらに、ケーブル接続容器２Ａと母線接続容器２Ｂとの接合部の隔壁に設けられた区分ブッシング１６を介して母線室を形成し容器２の一部を構成する母線接続容器２Ｂに収納された断路器（ＤＳ）および接地開閉器（ＥＳ）に接続される。母線接続容器２Ｂに収納された断路器（ＤＳ）の可動側固定接触部から接続導体３により母線接続容器２Ｂに収納され母線接続端子を介して母線（ＢＵＳ）１０に接続される。
主回路ケーブル接続用ブッシング１３は、母線（ＢＵＳ）１０の少なくとも一部と上下方向において対向するケーブル接続容器２Ｃの突出部２ｐにおける後面２ｐａの側壁に設けられており、主回路ケーブル接続用ブッシング１３を接続するためのケーブル接続容器２Ａの内部における接続用空間を容易に確保することができるため、ケーブル接続容器２Ｃの後面２ａに設けられた場合に比べて、スイッチギヤ本体１の奥行寸法を増大することなく設置することができる。
【００２８】
機器室を形成し容器２の一部を構成するケーブル接続容器２Ａにおける突出部２ｐおよび機器室を形成し容器２の一部を構成するケーブル接続容器２Ｃにおける突出部２ｐの内側にそれぞれ設けられた計器用変成器（ＶＴ）などの変成器４は、その一次側４ａに固着された接続端子５と接続導体３との接続をケーブル接続容器２Ａおよびケーブル接続容器２Ｃの前面２ｂの外側にそれぞれ設けられたＶＴ接離機構からなる接離機構９によりそれぞれ切り離し可能とされている。
【００２９】
（２Ａ）この発明による実施の形態２によれば、断路器（ＤＳ）および接地開閉器（ＥＳ）ならびに真空遮断器（ＶＣＢ）からなる主回路機器を収納しＳＦ６，乾燥空気，窒素，二酸化炭素などの絶縁性ガスを封入するとともに後面２ａにおける上部を後方へ突出し突出部２ｐを設けた容器２の一部を構成するケーブル接続容器２Ａ、断路器（ＤＳ）および接地開閉器（ＥＳ）ならびに真空遮断器（ＶＣＢ）からなる主回路機器を収納しＳＦ６，乾燥空気，窒素，二酸化炭素などの絶縁性ガスを封入するとともに後面２ａにおける下部を後方へ突出し突出部２ｐを設けた容器２の一部を構成するケーブル接続容器２Ｃ、少なくとも一部が前記ケーブル接続容器２Ａおよびケーブル接続容器２Ｃの突出部２ｐと上下方向において対向するように少なくとも一部を前記ケーブル接続容器２Ａおよびケーブル接続容器２Ｃの突出部２ｐと上下に位置し前記主回路機器と接続導体３により電気的に接続される母線（ＢＵＳ）１０を備え、前記ケーブル接続容器２Ａおよび前記ケーブル接続容器２Ｃの突出部２ｐの内側に前記接続導体３との接続端子５を固着した一次側端子４ａを前記ケーブル接続容器２Ａの前面２ｂ側に向けて計器用変成器（ＶＴ）などの変成器４で構成された接続機器を配置するとともに、前記ケーブル接続容器２Ａおよび前記ケーブル接続容器２Ｃの前面にそれぞれ設けたＶＴ接離機構からなる接離機構９により前記変成器４で構成された接続機器の一次側端子４ａが固着された接続端子５を前記母線（ＢＵＳ）１０に接続された前記接続導体３からそれぞれ切り離すようにしたので、スイッチギヤの奥行寸法を大きくすることなく変成器からなる接続機器をスイッチギヤ本体の前面から切り離せるよう操作できるようにして耐電圧試験などの試験を短時間で行えるスイッチギヤを得ることができる。
【００３０】
（２Ｂ）この発明による実施の形態２によれば、前記（２Ａ）項における構成において、前記接離機構９は、前記容器２の一部を構成するケーブル接続容器２Ａおよびケーブル接続容器２Ｃの前面２ｂをそれぞれ気密に摺動する操作ロッド８と、前記計器用変成器（ＶＴ）などの変成器４で構成された接続機器の一次側端子４ａが固着された接続端子５と前記接続導体３との間をそれぞれ接離する接続部材６と、前記接続部材６と接続導体３との間をそれぞれ電気的に接続する摺動接触子３ａと、前記接続部材６と前記操作ロッド８の間をそれぞれ機械的に接続する絶縁ロッド７と、前記操作ロッド７をそれぞれ前後に駆動する操作装置９ａを備えたので、スイッチギヤの奥行寸法を大きくすることなく変成器からなる接続機器をスイッチギヤ本体の前面から切り離せるよう操作できるようにして耐電圧試験などの試験を短時間で行えるとともに、接離機構による切り離し動作を電気的絶縁を保持しつつ確実に行えるスイッチギヤを得ることができる。
【００３１】
（２Ｃ）この発明による実施の形態２によれば、前記（２Ａ）項または前記（２Ｂ）項の構成において、前記容器２の一部を構成するケーブル接続容器２Ａおよびケーブル接続容器２Ｃの突出部２ｐの容器後面側に後面２ｐａの側壁をそれぞれ貫通する主回路ケーブル接続用ブッシング１３を配置したので、スイッチギヤの奥行寸法を大きくすることなく変成器からなる接続機器をスイッチギヤ本体の前面から切り離せるよう操作できるようにして耐電圧試験などの試験を短時間で行えるとともに、スイッチギヤの奥行寸法を増大することなく主回路ケーブル接続用ブッシングを設置できるスイッチギヤを得ることができる。
【００３２】
実施の形態３．
この発明による実施の形態３を図５について説明する。図５は実施の形態３における主回路ケーブルを上面から引込む場合のスイッチギヤの構造を示す側断面図である。
この実施の形態３において、ここで説明する特有の構成以外の構成については、先に説明した実施の形態１または実施の形態２における構成と同一の構成内容を具備し同様の作用を奏するものである。図中、同一符号は同一または相当部分を示す。
【００３３】
図５において、スイッチギヤ本体１の容器２は、断路器（ＤＳ）および接地開閉器（ＥＳ）ならびに真空遮断器（ＶＣＢ）からなる主回路機器を収納する機器室を形成し容器２の一部を構成するケーブル接続容器２Ａと、断路器（ＤＳ）および接地開閉器（ＥＳ）ならびに母線接続用端子を収納する母線室を形成し容器２の一部を構成する母線接続容器２Ｂと、真空遮断器（ＶＣＢ）を収納する機器室２Ｃとによって構成されている。容器２Ａ，２Ｂ，２Ｃは互いに区画され、各容器２Ａ，２Ｂ，２ＣにはＳＦ６，乾燥空気，窒素，二酸化炭素などの絶縁性ガスがそれぞれ封入されている。
機器室を形成し容器２の一部を構成するケーブル接続容器２Ａにおける後面２ａの上部には後方へ突出する突出部２ｐが設けられている。
母線（ＢＵＳ）１０は母線室を形成し容器２の一部を構成する母線接続容器２Ｂの後面２ａの外側に取り付けられ、その少なくとも一部がケーブル接続容器２Ａの突出部２ｐと上下方向において対向するようにその少なくとも一部がケーブル接続容器２Ａの突出部２ｐと上下に位置して配置されている。母線接続容器２Ｂの後面２ａは母線（ＢＵＳ）１０の取付面として構成されている。
このように、母線（ＢＵＳ）１０の上方には、機器室を形成し容器２の一部を構成するケーブル接続容器２Ａに収納された断路器（ＤＳ）および接地開閉器（ＥＳ）ならびに真空遮断器（ＶＣＢ）からなる主回路機器が配置され、母線（ＢＵＳ）１０の下方には、機器室を形成し容器２の一部を構成するケーブル接続容器２Ｃに収納された真空遮断器（ＶＣＢ）からなる主回路機器が配置されている。
すなわち、母線（ＢＵＳ）１０の上下両側には、機器室を形成し容器２の一部を構成するケーブル接続容器２Ａに収納された断路器（ＤＳ）および接地開閉器（ＥＳ）ならびに真空遮断器（ＶＣＢ）からなる主回路機器と、機器室を形成し容器２の一部を構成するケーブル接続容器２Ｃに収納された真空遮断器（ＶＣＢ）からなる主回路機器とが配置されている。
容器２の一部を構成するケーブル接続容器２Ａにおける突出部２ｐの内側には、容器２Ａ，２Ｂ，２Ｃで構成される容器２に収納された断路器（ＤＳ）および接地開閉器（ＥＳ）ならびに真空遮断器（ＶＣＢ）からなる主回路機器の相互間を接続する接続導体３の後方に一次側端子４ａがスイッチギヤ本体１の前面１ｂ側になるように避雷器（ＳＡＲ）４で構成される接続機器が配設される。すなわち、避雷器（ＳＡＲ）４で構成される接続機器が接続導体３よりもスイッチギヤ本体１の後面１ａ側になるようように配置される。
【００３４】
床面ＦＬから引込まれた主回路ケーブル１１はケーブルヘッド（ＣＨＤ）１２からケーブル接続容器２Ａにおける突出部２ｐの後面２ｐａに設けられた主回路ケーブル接続用ブッシング１３を介して機器室を形成し容器２の一部を構成するケーブル接続容器２Ａに収納された断路器（ＤＳ）および接地開閉器（ＥＳ）に接続される。断路器（ＤＳ）の可動側固定接触部から接続導体３を介してケーブル接続容器２Ａに収納された真空遮断器（ＶＣＢ）に接続され、さらに、ケーブル接続容器２Ａと母線接続容器２Ｂとの接合部の隔壁に設けられた区分ブッシング１６を介して母線室を形成し容器２の一部を構成する母線母線接続容器２Ｂに収納された断路器（ＤＳ）および接地開閉器（ＥＳ）に接続される。母線接続容器２Ｂに収納された断路器（ＤＳ）の可動側固定接触部から接続導体３により母線接続容器２Ｂに収納され母線接続端子を介して母線（ＢＵＳ）１０に接続される。
主回路ケーブル接続用ブッシング１３は、母線（ＢＵＳ）１０の少なくとも一部と上下方向において対向するように母線（ＢＵＳ）１０の少なくとも一部と上下に位置するケーブル接続容器２Ａの突出部２ｐにおける後面２ｐａの側壁に設けられており、主回路ケーブル接続用ブッシング１３を接続するためのケーブル接続容器２Ａの内部における接続用空間を容易に確保することができるため、ケーブル接続容器２Ａの後面２ａに設けられた場合に比べて、スイッチギヤ本体１の奥行寸法を増大することなく設置することができる。
【００３５】
床面ＦＬから引込まれた主回路ケーブル１４はケーブルヘッド（ＣＨＤ）１５を介して機器室を形成し容器２の一部を構成するケーブル接続容器２Ｃに収納された真空遮断器（ＶＣＢ）に接続され、さらに、母線接続容器２Ｂとケーブル接続容器２Ｃとの接合部の隔壁に設けられた区分ブッシング１６を介して母線室を形成し容器２の一部を構成する母線接続容器２Ｂに収納された断路器（ＤＳ）および接地開閉器（ＥＳ）に接続される。母線接続容器２Ｂに収納された断路器（ＤＳ）の可動側固定接触部から接続導体３により母線接続容器２Ｂに収納され母線接続端子を介して母線（ＢＵＳ）１０に接続される。
【００３６】
ケーブル接続容器２Ａにおける突出部２ｐの内側に設けられた避雷器（ＳＡＲ）で構成される接続機器４は、その一次側端子４ａが固着された接続端子５と接続導体３との接続をケーブル接続容器２Ａの前面外側に設けられたＳＡＲ接離機構からなる接離機構９により切り離し可能とされている。
【００３７】
（３Ａ）この発明による実施の形態３によれば、スイッチギヤ本体１に収納された断路器（ＤＳ）および接地開閉器（ＥＳ）ならびに真空遮断器（ＶＣＢ）からなる主回路機器と母線１０とをスイッチギヤ本体１の内部において電気的に接続する接続導体３、スイッチギヤ本体の内部において前記接続導体３よりもスイッチギヤ本体１の後面１ａ側に配置されスイッチギヤ本体１の前面１ｂ側に一次側端子４ａが固着された接続端子５からなる接続部を向けて配設された接続機器、前記スイッチギヤ本体１の前面１ｂ側から前記接続導体３と前記接続機器とを電気的に接続するＳＡＲ接離機構９からなる接離機構を備え、前記接続機器として計器用変成器（ＶＴ）からなる変成器４を配置するようにしたので、避雷器（ＳＡＲ）４で構成される接続機器をスイッチギヤ本体の前面から切り離せるように操作できるスイッチギヤを得ることができる。
【００３８】
（３Ｂ）この発明による実施の形態３によれば、断路器（ＤＳ）および接地開閉器（ＥＳ）ならびに真空遮断器（ＶＣＢ）からなる主回路機器を収納しＳＦ６，乾燥空気，窒素，二酸化炭素などの絶縁性ガスを封入するとともに後面２ａにおける上部を後方へ突出し突出部２ｐを設けた容器２の一部を構成するケーブル接続容器２Ａ、少なくとも一部が前記ケーブル接続容器２Ａの突出部２ｐと上下方向において対向するように少なくとも一部を前記ケーブル接続容器２Ａの突出部２ｐと上下に位置し前記主回路機器と接続導体３により電気的に接続される母線（ＢＵＳ）１０を備え、前記ケーブル接続容器２Ａの突出部２ｐの内側に前記接続導体３との接続端子５を固着した一次側端子４ａを前記ケーブル接続容器２Ａの前面２ｂ側に向けて避雷器（ＳＡＲ）４で構成された接続機器を配置するとともに、前記ケーブル接続容器２Ａの前面に設けたＳＡＲ接離機構からなる接離機構９により前記避雷器（ＳＡＲ）４で構成された接続機器の一次側端子４ａに固着された接続端子５を前記母線（ＢＵＳ）１０に接続された前記接続導体３から切り離すようにしたので、スイッチギヤの奥行寸法を大きくすることなく避雷器からなる接続機器をスイッチギヤ本体の前面から切り離せるよう操作できるようにして耐電圧試験などの試験を短時間で行えるスイッチギヤを得ることができる。
【００３９】
（３Ｃ）この発明による実施の形態３によれば、前記（３Ｂ）項における構成において、前記接離機構９は、前記容器２の一部を構成するケーブル接続容器２Ａの前面２ｂを気密に摺動する操作ロッド８と、前記避雷器（ＳＡＲ）４で構成された接続機器の一次側端子４ａが固着された接続端子５と前記接続導体３との間を接離する接続部材６と、前記接続部材６と接続導体３との間を電気的に接続する摺動接触子３ａと、前記接続部材６と前記操作ロッド８の間を機械的に接続する絶縁ロッド７と、前記操作ロッド７を前後に駆動する操作装置９ａを備えたので、スイッチギヤの奥行寸法を大きくすることなく避雷器からなる接続機器をスイッチギヤ本体の前面から切り離せるよう操作できるようにして耐電圧試験などの試験を短時間で行えるとともに、接離機構による切り離し動作を電気的絶縁を保持しつつ確実に行えるスイッチギヤを得ることができる。
【００４０】
（３Ｄ）この発明による実施の形態３によれば、前記（３Ｂ）項または前記（３Ｃ）項の構成において、前記容器２の一部を構成するケーブル接続容器２Ａの突出部２ｐの容器後面側に後面２ｐａの側壁を貫通する主回路ケーブル接続用ブッシング１３を配置したので、スイッチギヤの奥行寸法を大きくすることなく避雷器からなる接続機器をスイッチギヤ本体の前面から切り離せるよう操作できるようにして耐電圧試験などの試験を短時間で行えるとともに、スイッチギヤの奥行寸法を増大することなく主回路ケーブル接続用ブッシングを設置できるスイッチギヤを得ることができる。
【００４１】
実施の形態４．
この発明による実施の形態４を図６について説明する。図６は実施の形態４における主回路ケーブルを上面より引込む場合のスイッチギヤの構造を示す側断面図である。
この実施の形態４において、ここで説明する特有の構成以外の構成については、先に説明した実施の形態１から実施の形態３までのいずれかにおける構成と同一の構成内容を具備し同様の作用を奏するものである。図中、同一符号は同一または相当部分を示す。
【００４２】
図６において、スイッチギヤ本体１の容器２は、断路器（ＤＳ）および接地開閉器（ＥＳ）ならびに真空遮断器（ＶＣＢ）からなる主回路機器を収納する機器室を形成し容器２の一部を構成するケーブル接続容器２Ａと、断路器（ＤＳ）および接地開閉器（ＥＳ）ならびに母線接続用端子を収納する母線室を形成し容器２の一部を構成する母線接続容器２Ｂと、断路器（ＤＳ）および接地開閉器（ＥＳ）ならびに真空遮断器（ＶＣＢ）を収納する機器室２Ｃとによって構成されている。容器２Ａ，２Ｂ，２Ｃは互いに区画され、各容器２Ａ，２Ｂ，２ＣにはＳＦ６，乾燥空気，窒素，二酸化炭素などの絶縁性ガスがそれぞれ封入されている。
機器室を形成し容器２の一部を構成するケーブル接続容器２Ａにおける後面２ａの上部には後方へ突出する突出部２ｐが設けられている。
また、機器室を形成し容器２の一部を構成するケーブル接続容器２Ｃにおける後面２ａの下部には後方へ突出する突出部２ｐが設けられている。
母線（ＢＵＳ）１０は母線室を形成し容器２の一部を構成する母線接続容器２Ｂの後面２ａの外側に取り付けられ、その少なくとも一部が機器室を形成し容器２の一部を構成するケーブル接続容器２Ａの突出部２ｐおよび機器室を形成し容器２の一部を構成するケーブル接続容器２Ｃの突出部２ｐと上下方向において対向するようにその少なくとも一部がケーブル接続容器２Ａの突出部２ｐおよびケーブル接続容器２Ｃの突出部２ｐと上下に位置して配置されている。母線接続容器２Ｂの後面２ａは母線（ＢＵＳ）１０の取付面として構成されている。
このように、母線（ＢＵＳ）１０の上方には、機器室を形成し容器２の一部を構成するケーブル接続容器２Ａに収納された断路器（ＤＳ）および接地開閉器（ＥＳ）ならびに真空遮断器（ＶＣＢ）からなる主回路機器が配置され、母線（ＢＵＳ）１０の下方には、機器室を形成し容器母線接続容器２Ｂの後面２ａは母線（ＢＵＳ）１０の取付面として構成されている。
すなわち、母線（ＢＵＳ）１０の上下両側には、機器室を形成し容器２の一部を構成するケーブル接続容器２Ａに収納された断路器（ＤＳ）および接地開閉器（ＥＳ）ならびに真空遮断器（ＶＣＢ）からなる主回路機器と、機器室を形成し容器２の一部を構成するケーブル接続容器２Ｃに収納された断路器（ＤＳ）および接地開閉器（ＥＳ）ならびに真空遮断器（ＶＣＢ）からなる主回路機器とが配置されている。
容器２の一部を構成するケーブル接続容器２Ａおよびケーブル接続容器２Ｃにおける突出部２ｐの内側には、容器２Ａ，２Ｂ，２Ｃで構成される容器２に収納された断路器（ＤＳ）および接地開閉器（ＥＳ）ならびに真空遮断器（ＶＣＢ）からなる主回路機器の相互間を接続する接続導体３の後方に一次側端子４ａがスイッチギヤ本体１の前面１ｂ側になるように避雷器（ＳＡＲ）４で構成される接続機器がそれぞれ配設される。すなわち、避雷器（ＳＡＲ）４で構成される接続機器が接続導体３よりもスイッチギヤ本体１の後面１ａ側になるようように配置される。
【００４３】
スイッチギヤ本体１の上面ＣＬから引込まれた主回路ケーブル１４はケーブルヘッド（ＣＨＤ）１５からケーブル接続容器２Ａにおける突出部２ｐの後面２ｐａに設けられた主回路ケーブル接続用ブッシング１３を介して機器室を形成し容器２の一部を構成するケーブル接続容器２Ａに収納された断路器（ＤＳ）および接地開閉器（ＥＳ）に接続される。断路器（ＤＳ）の可動側固定接触部から接続導体３を介してケーブル接続容器２Ａに収納された真空遮断器（ＶＣＢ）に接続され、さらに、ケーブル接続容器２Ａと母線接続容器２Ｂとの接合部の隔壁に設けられた区分ブッシング１６を介して母線室を形成し容器２の一部を構成する母線接続容器２Ｂに収納された断路器（ＤＳ）および接地開閉器（ＥＳ）に接続される。母線接続容器２Ｂに収納された断路器（ＤＳ）の可動側固定接触部から接続導体３により母線接続容器２Ｂに収納され母線接続端子を介して母線（ＢＵＳ）１０に接続される。
主回路ケーブル接続用ブッシング１３は、母線（ＢＵＳ）１０の少なくとも一部と上下方向において対向するように母線（ＢＵＳ）１０の少なくとも一部と上下に位置するケーブル接続容器２Ａの突出部２ｐにおける後面２ｐａの側壁に設けられており、主回路ケーブル接続用ブッシング１３を接続するためのケーブル接続容器２Ａの内部における接続用空間を容易に確保することができるため、ケーブル接続容器２Ａの後面２ａに設けられた場合に比べて、スイッチギヤ本体１の奥行寸法を増大することなく設置することができる。
【００４４】
スイッチギヤ本体１の上面ＣＬから引込まれた主回路ケーブル１１はケーブルヘッド（ＣＨＤ）１２からケーブル接続容器２Ｃにおける突出部２ｐの後面２ｐａに設けられた主回路ケーブル接続用ブッシング１３を介して機器室を形成し容器２の一部を構成するケーブル接続容器２Ｃに収納された断路器（ＤＳ）および接地開閉器（ＥＳ）に接続される。断路器（ＤＳ）の可動側固定接触部から接続導体３を介してケーブル接続容器２Ａに収納された真空遮断器（ＶＣＢ）に接続され、さらに、ケーブル接続容器２Ｃと母線接続容器２Ｂとの接合部の隔壁に設けられた区分ブッシング１６を介して母線室を形成し容器２の一部を構成する母線接続容器２Ｂに収納された断路器（ＤＳ）および接地開閉器（ＥＳ）に接続される。母線接続容器２Ｂに収納された断路器（ＤＳ）の可動側固定接触部から接続導体３により母線接続容器２Ｂに収納され母線接続端子を介して母線（ＢＵＳ）１０に接続される。
主回路ケーブル接続用ブッシング１３は、母線（ＢＵＳ）１０の少なくとも一部と上下方向において対向するように母線（ＢＵＳ）１０の少なくとも一部と上下に位置するケーブル接続容器２Ｃの突出部２ｐにおける後面２ｐａの側壁に設けられており、ケーブル接続容器２Ｃの後面２ａに設けられた場合に比べて、スイッチギヤ本体１の奥行寸法を増大することなく設置することができる。
【００４５】
機器室を形成し容器２の一部を構成するケーブル接続容器２Ａにおける突出部２ｐおよび機器室を形成し容器２の一部を構成するケーブル接続容器２Ｃにおける突出部２ｐの内側にそれぞれ設けられた避雷器（ＳＡＲ）４で構成される接続機器は、その接続端子４ａと接続導体３との接続をケーブル接続容器２Ａの前面２ｂの外側に設けられたＳＡＲ接離機構からなる接離機構９によりそれぞれ切り離し可能とされている。
【００４６】
（４Ａ）この発明による実施の形態４によれば、断路器（ＤＳ）および接地開閉器（ＥＳ）ならびに真空遮断器（ＶＣＢ）からなる主回路機器を収納しＳＦ６，乾燥空気，窒素，二酸化炭素などの絶縁性ガスを封入するとともに後面２ａにおける上部を後方へ突出し突出部２ｐを設けた容器２の一部を構成するケーブル接続容器２Ａ、断路器（ＤＳ）および接地開閉器（ＥＳ）ならびに真空遮断器（ＶＣＢ）からなる主回路機器を収納しＳＦ６，乾燥空気，窒素，二酸化炭素などの絶縁性ガスを封入するとともに後面２ａにおける下部を後方へ突出し突出部２ｐを設けた容器２の一部を構成するケーブル接続容器２Ｃ、少なくとも一部が前記ケーブル接続容器２Ａおよびケーブル接続容器２Ｃの突出部２ｐと上下方向において対向するように少なくとも一部を前記ケーブル接続容器２Ａおよびケーブル接続容器２Ｃの突出部２ｐと上下に位置し前記主回路機器と接続導体３により電気的に接続される母線（ＢＵＳ）１０を備え、前記ケーブル接続容器２Ａおよび前記ケーブル接続容器２Ｃの突出部２ｐの内側に前記接続導体３との接続端子５を固着した一次側端子４ａを前記ケーブル接続容器２Ａの前面２ｂ側に向けて避雷器（ＳＡＲ）４で構成された接続機器をそれぞれ配置するとともに、前記ケーブル接続容器２Ａおよび前記ケーブル接続容器２Ｃの前面にそれぞれ設けたＳＡＲ接離機構からなる接離機構９により前記避雷器（ＳＡＲ）４で構成された接続機器の一次側端子４ａが固着された接続端子５を前記母線（ＢＵＳ）１０に接続された前記接続導体３からそれぞれ切り離すようにしたので、スイッチギヤの奥行寸法を大きくすることなく避雷器からなる接続機器をスイッチギヤ本体の前面から切り離せるよう操作できるようにして耐電圧試験などの試験を短時間で行えるスイッチギヤを得ることができる。
【００４７】
（４Ｂ）この発明による実施の形態４によれば、前記（４Ａ）項における構成において、前記接離機構９は、前記容器２の一部を構成するケーブル接続容器２Ａおよびケーブル接続容器２Ｃの前面２ｂをそれぞれ気密に摺動する操作ロッド８と、前記避雷器（ＳＡＲ）４で構成された接続機器の一次側端子４ａが固着された接続端子５と前記接続導体３との間をそれぞれ接離する接続部材６と、前記接続部材６と接続導体３との間をそれぞれ電気的に接続する摺動接触子３ａと、前記接続部材６と前記操作ロッド８の間をそれぞれ機械的に接続する絶縁ロッド７と、前記操作ロッド７をそれぞれ前後に駆動する操作装置９ａを備えたので、スイッチギヤの奥行寸法を大きくすることなく変成器からなる接続機器をスイッチギヤ本体の前面から切り離せるよう操作できるようにして耐電圧試験などの試験を短時間で行えるとともに、接離機構による切り離し動作を電気的絶縁を保持しつつ確実に行えるスイッチギヤを得ることができる。
【００４８】
（４Ｃ）この発明による実施の形態４によれば、前記（４Ａ）項または前記（４Ｂ）項の構成において、前記容器２の一部を構成するケーブル接続容器２Ａおよびケーブル接続容器２Ｃの突出部２ｐの容器後面側に後面２ｐａの側壁をそれぞれ貫通する主回路ケーブル接続用ブッシング１３を配置したので、スイッチギヤの奥行寸法を大きくすることなく変成器からなる接続機器をスイッチギヤ本体の前面から切り離せるよう操作できるようにして耐電圧試験などの試験を短時間で行えるとともに、スイッチギヤの奥行寸法を増大することなく主回路ケーブル接続用ブッシングを設置できるスイッチギヤを得ることができる。
【００４９】
実施の形態５．
この発明による実施の形態５を図７について説明する。図７は実施の形態５における主回路ケーブルを床面から引込む場合のスイッチギヤの構成を示す側断面図である。
この実施の形態５において、ここで説明する特有の構成以外の構成については、先に説明した実施の形態１から実施の形態４までのいずれかにおける構成と同一の構成内容を具備し同様の作用を奏するものである。図中、同一符号は同一または相当部分を示す。
【００５０】
図７において、スイッチギヤ本体１の容器２は、断路器（ＤＳ）および接地開閉器（ＥＳ）ならびに真空遮断器（ＶＣＢ）からなる主回路機器を収納する機器室を形成するケーブル接続容器２Ａと、断路器（ＤＳ）および接地開閉器（ＥＳ）ならびに母線接続用端子を収納する母線室を形成する母線接続容器２Ｂと、真空遮断器（ＶＣＢ）を収納する機器室を形成するケーブル接続容器２Ｃとによって構成されている。容器２Ａ，２Ｂ，２Ｃは互いに区画され、各容器２Ａ，２Ｂ，２ＣにはＳＦ６，乾燥空気，窒素，二酸化炭素などの絶縁性ガスがそれぞれ封入されている。
母線（ＢＵＳ）１０は母線室を形成し容器２の一部を構成する母線接続容器２Ｂの後面２ａの外側に取り付けられて配置されている。母線接続容器２Ｂの後面２ａは母線（ＢＵＳ）１０の取付面として構成されている。
母線（ＢＵＳ）１０の上方には、機器室を形成し容器２の一部を構成するケーブル接続容器２Ａに収納された断路器（ＤＳ）および接地開閉器（ＥＳ）ならびに真空遮断器（ＶＣＢ）からなる主回路機器が配置され、母線（ＢＵＳ）１０の下方には、機器室を形成し容器２の一部を構成するケーブル接続容器２Ｃに収納された真空遮断器（ＶＣＢ）からなる主回路機器が配置されている。
すなわち、母線（ＢＵＳ）１０の上下両側には、機器室を形成し容器２の一部を構成するケーブル接続容器２Ａに収納された断路器（ＤＳ）および接地開閉器（ＥＳ）ならびに真空遮断器（ＶＣＢ）からなる主回路機器と、機器室を形成し容器２の一部を構成するケーブル接続容器２Ｃに収納された真空遮断器（ＶＣＢ）からなる主回路機器とが配置されている。
容器２の一部を構成するケーブル接続容器２Ａの内側には、容器２Ａ，２Ｂ，２Ｃで構成される容器２に収納された断路器（ＤＳ）および接地開閉器（ＥＳ）ならびに真空遮断器（ＶＣＢ）からなる主回路機器の相互間を接続する接続導体３の後方に一次側端子４ａがスイッチギヤ本体１の前面１ｂ側になるように計器用変成器（ＶＴ）などの変成器４で構成される接続機器が配設される。すなわち、計器用変成器（ＶＴ）などの変成器４で構成される接続機器が接続導体３よりもスイッチギヤ本体１の後面１ａ側になるようように配置される。
【００５１】
床面ＦＬから引込まれた主回路ケーブル１１はケーブルヘッド（ＣＨＤ）１２からケーブル接続容器２Ａの後面２ａに設けられた主回路ケーブル接続用ブッシング１３を介して機器室を形成し容器２の一部を構成するケーブル接続容器２Ａに収納された断路器（ＤＳ）および接地開閉器（ＥＳ）に接続される。断路器（ＤＳ）の可動側固定接触部から接続導体３を介してケーブル接続容器２Ａに収納された真空遮断器（ＶＣＢ）に接続され、さらに、ケーブル接続容器２Ａと母線接続容器２Ｂとの接合部の隔壁に設けられた区分ブッシング１６を介して母線室を形成し容器２の一部を構成する母線接続容器２Ｂに収納された断路器（ＤＳ）および接地開閉器（ＥＳ）に接続される。母線接続容器２Ｂに収納された断路器（ＤＳ）の可動側固定接触部から接続導体３により母線接続容器２Ｂに収納された母線接続端子１０ａを介して母線（ＢＵＳ）１０に接続される。
【００５２】
床面ＦＬから引込まれた主回路ケーブル１４はケーブルヘッド（ＣＨＤ）１５を介して機器室を形成し容器２の一部を構成するケーブル接続容器２Ｃに収納された真空遮断器（ＶＣＢ）に接続され、さらに、母線接続容器２Ｂとケーブル接続容器２Ｃとの隔壁に設けられた区分ブッシング１６を介して母線室を形成し容器２の一部を構成する母線接続容器２Ｂに収納された断路器（ＤＳ）および接地開閉器（ＥＳ）に接続される。母線接続容器２Ｂに収納された断路器（ＤＳ）の可動側固定接触部から接続導体３により母線接続容器２Ｂに収納された母線接続端子１０ａを介して母線（ＢＵＳ）１０に接続される。
【００５３】
容器２Ａ，２Ｂ，２Ｃで構成される容器２に収納された断路器（ＤＳ）および接地開閉器（ＥＳ）ならびに真空遮断器（ＶＣＢ）からなる主回路機器の相互間を接続する接続導体３の後方に一次側端子４ａがスイッチギヤ本体１の前面１ｂ側になるようにケーブル接続容器２Ａにおける突出部２ｐの内側に設けられた計器用変成器（ＶＴ）などの変成器４で構成される接続機器は、その一次側端子４ａが固着された接続端子５と接続導体３との接続をケーブル接続容器２Ａの前面外側に設けられたＶＴ接離機構からなる接離機構９により切り離し可能とされている。
【００５４】
（５Ａ）この発明による実施の形態５によれば、スイッチギヤ本体１に収納された断路器（ＤＳ）および接地開閉器（ＥＳ）ならびに真空遮断器（ＶＣＢ）からなる主回路機器と母線１０とをスイッチギヤ本体１の内部において電気的に接続する接続導体３、スイッチギヤ本体の内部において前記接続導体３よりもスイッチギヤ本体１の後面１ａ側に配置されスイッチギヤ本体１の前面１ｂ側に一次側端子４ａが固着された接続端子５からなる接続部を向けて配設された接続機器、前記スイッチギヤ本体１の前面１ｂ側から前記接続導体３と前記接続機器とを電気的に接続するＶＴ接離機構９からなる接離機構を備え、前記接続機器として計器用変成器（ＶＴ）からなる変成器４を配置するようにしたので、計器用変成器（ＶＴ）からなる変成器４で構成される接続機器をスイッチギヤ本体の前面から切り離せるように操作できるスイッチギヤを得ることができる。
【００５５】
１  スイッチギヤ、２  容器、２ａ  容器の後面、２ｂ  容器の前面、２ｐ  容器の突出部、３  接続導体、３ａ  接触子、４  変成器などの接続機器、４ａ  接続機器の一次側端子、５  接続端子、５ａ  接続端子の接触部、６  接続部材、７  絶縁ロッド、８  操作ロッド、９  接離機構、９ａ  操作装置、１０  母線、１１  主回路ケーブル、１２  ケーブルヘッド、１３  主回路ケーブル接続用ブッシング、１４  主回路ケーブル、１５  ケーブルヘッド、１６  区分ブッシング。
【図１】
2011205897.tif 000003
【図２】
2011205897.tif 000004
【図３】
2011205897.tif 000005
【図４】
2011205897.tif 000006
【図５】
2011205897.tif 000007
【図６】
2011205897.tif 000008
【図７】
2011205897.tif 000009